(57)【要約】【課題】本発明は、ネット本体の左右方向の引っ張り、下方側の引っ張りをスムーズに行え、安全性に優れた防球用ネット及び防球用ネットの吊張方法を提供することを課題とする。【解決手段】体育館等の屋内空間部に吊り張りする防球用ネットにおいて、前記防球用ネットを構成するネット本体２は屋内空間部の天井側より床面側の面積と略同形状に形成し、且つネット本体２の下端側にはネット本体２を左右方向に引っ張り調整、及び下端側を引っ張り調整する張設手段を具備し、前記張設手段には防球用ネット１吊り張り時に床面とネット本体２の下端との隙間を調整可能とする調整機構が設けられていることである。【選択図】図１
2015150413.tif 000002
【特許請求の範囲】
【請求項１】
体育館等の屋内空間部に吊り張りする防球用ネットにおいて、前記防球ネットを構成するネット本体を屋内空間部の天井側より床面側の面積と略同形状に形成し、且つネット本体の下端側にネット本体を左右方向に引っ張り調整、及び下方側に引っ張り調整する張設手段を具備し、前記張設手段には防球用ネット吊り張り時に床面とネット本体の下端との隙間を調整可能とする調整機能が設けられていることを特徴とする防球用ネット。
【請求項２】
体育館等の屋内空間部に吊り張りする防球用ネットの吊張方法において、屋内空間部の天井側より床面側の面積と略同形に形成されたネット本体を天井側より床面側に沿って吊り張りした後、該ネット本体の下端側に設けられた張設手段を用いてネット本体を左右方向に引っ張り調整するとともにネット本体を下方側に引っ張り調整することで同時にネット本体と床面との隙間を調整することを特徴とする防球用ネットの吊張方法。
【発明の詳細な説明】
【発明の詳細な説明】
【技術分野】
【０００１】本発明は、防球用ネット及び防球用ネットの吊張方法に関し、特に、体育館等の屋内空間部で使用される移動方式の防球用ネット及び防球用ネットの吊張方法に関する。【０００２】従来、体育館等の屋外空間部を使用して各種球技を行なう場合は、球技の種類に応じて、防球用ネットを屋内空間部の内周に沿って吊り張り、又は複数枚の防球用ネットを用いて屋内空間部を複数に区画することで球の移動を規制している。【０００３】上記防球用ネットは、空間部の天井側より床面側の面積に対応して（通常面積よりやや大き目）形成され垂直方向を区画するネット本体と、該ネット本体の床面側で折り畳んだ余剰部とから形成、又はネット本体の床面側より床面に沿って水平方向に延出された延出ネット体とから形成され、これにより球が防球用ネットの下を潜って移動しないように構成されている。【０００４】また、上記余剰部や延出ネット体部分は踏みつける可能性があり、ネットの素材であるポリエチレン等の合成樹脂で構成されているために、滑って転倒する恐れがあり、滑り止め加工が施されている防球用ネットも存在する。【０００５】これら防球用ネットは屋内空間部の天井側に架け渡したロープに取り付けることで吊り張りされ、ロープの両端側に比し中央部分に防球用ネットの荷重がかかり、下方側に下がって吊り張りされている。
【発明が解決しようとする課題】
【０００６】しかしながら、上記従来の防球用ネットは屋内空間部に吊り張りする際、空間部に吊り張りするネット本体は空間部に沿って左右方向及び下方にネット本体を引っ張り広げる作業が必要であるが、ネット本体の側面及び下方側を直接引っ張る等手作業で行うためにその作業が煩雑であり、特に面積が大面積の場合、スムーズなネット本体の吊り張り作業ができない欠点があった。
【０００７】また、ネット本体に連結した余剰部部分を踏んだ際、滑り易く怪我の原因となるために、近年滑り止め加工の施された延出部の設けられた防球用ネットが使用されるが、延出部を踏みつけるとネット本体の天井側に強く引張力が働き、ネット本体の破損の原因となる欠点があった。
【０００８】さらに延出部の滑り止め加工が床面に密着し強い摩擦力が発生するために、ネット本体の左右方向の調整が困難になるという欠点があった。
【０００９】また、防球用ネットはロープに吊り張りするために、該ロープに防球用ネットの荷重がかかりロープの中央側が両端側より下方に下がり、ネット本体の下端側がネット本体の中央側と両端側で相違するために、延出部は一定以上の長さを要する必要があり、上記ネット本体の左右方向の調整がさらに困難になる欠点があった。
【００１０】そこで、本発明は上記課題を解決するものであって、ネット本体の左右方向及び下方側の引っ張り調整が容易で、安全性に優れた防球用ネット及び防球用ネットの吊張方法を提供することを課題とするものである。
【課題を解決するための手段】
【００１１】上記課題を解決する本発明の解決手段としての防球用ネットは、請求項１に記載のように、体育館等の屋内空間部に吊り張りする防球用ネットにおいて、前記防球用ネットを構成するネット本体を屋内空間部の天井側より床面側の面積と略同形状に形成し、且つネット本体の下端側にネット本体を左右方向に引っ張り調整、及び下方側に引っ張り調整する張設手段を具備し、前記張設手段には防球用ネット吊り張り時に床面とネット本体の下端との隙間を調整可能とする調整機能が設けられていることを特徴とする。
【００１２】また、上記課題を解決する他の解決手段としての防球用ネットの吊張方法は、請求項２に記載のように、体育館等の屋内空間部に吊り張りする防球用ネットの吊張方法において、屋内空間部の天井側より床面側の面積と略同形に形成されたネット本体を天井側より床面側に沿って吊り張りした後、該ネット本体の下端側に設けられた張設手段を用いてネット本体を左右方向に引っ張り調整するとともにネット本体を下方側に引っ張り調整することで同時にネット本体と床面との隙間を調整することを特徴とする。
【発明の作用効果】
【００１３】本発明の防球用ネット及び防球用ネットの吊張方法の作用効果について説明する。
【００１４】先ず、請求項１に記載の防球用ネットは、屋内空間部の天井側に架け渡したロープに天井側より床面側の面積と略同形に形成されたネット本体の上端側を取り付け、ネット本体の床面側を垂直方向に吊り張りする。
【００１５】その後、前記ネット本体の床面側には張設手段が設けられているために、該張設手段を用いてネット本体を左右方向に引っ張り調整するとともに、下方側に引っ張り調整する。
【００１６】また、前記張設手段による下方側の引っ張り調整を行うことで、ネット本体と床面との隙間を中央部分及び両端側でそれぞれ同時に調整することができる。
【００１７】このため、ネット本体の左右方向及び下方側の調整が容易に行え、ネット本体を屋内空間部に沿って適切に吊り張りすることができる。
【００１８】また、ネット本体の調整移動がスムーズに行えることで、安全に作業を行うことができる。
【００１９】次に、請求項２に記載の防球用ネットの吊張方法は、屋内空間部の天井側に架け渡したロープに沿って天井側より床面側の面積と略同形に形成されたネット本体を吊り張りする。
【００２０】その後、前記ネット本体の床面側を左右方向に張設手段を介して引っ張り調整することでネット本体を屋内空間部に沿って広げるとともに、張設手段を介して下方側に引っ張り調整することで下方側にも適切に広げることができる。
【００２１】この際、上記張設手段を用いることでネット本体の荷重によるネット本体の中央側と両端側の相違する距離を有する床面側の隙間を同時に調整することができる。
【００２２】このように、本発明の防球用ネット及び防球用ネットの吊張方法は、ネット本体に張設手段が設けられているために、該張設手段を用いてネット本体を左右方向・下方側に引っ張り調整でき、吊り張り作業の作業効率を格段に向上することができる。
【００２３】また、前記張設手段は同時にネット本体の床面側と床面との隙間を調整することができ、防球用ネットの吊り張り作業の簡略化を図ることができる。
【００２４】さらに、防球用ネットの下端側を踏むことがないので、屋内空間部の使用時の安全性を確保することができる。
【発明を実施するための最良の形態】
【００２５】次に、本発明の防球用ネット及び防球用ネットの吊張方法について図面を参照して説明する。【００２６】図１は本発明の防球用ネットの第１実施例示す概略説明平面図であり、図２は図１の張設手段としての調整体を示す概略説明側面図であり、図３は調整体の錘体を示す概略説明断面図であり、図４、図５は調整体の使用状態を示す概略説明側面図であり、図６、図７は調整体の他実施例を示す概略説明平面図であり、図８は本発明の防球用ネットの吊張方法を示すフローチャートである。【００２７】本発明の防球用ネット１は、屋内空間部の吊り張りする天井側より床面側の面積と略同形に形成されたネット本体２と、ネット本体２の下端側２Ａに沿って連結された張設手段から構成されている。【００２８】前記ネット本体２は、公知のポリエステル繊維等の合成繊維で構成され、一般的に使用される無結節ネット又は有結節ネットを空間部の大きさに応じて１枚又は複数枚で形成され、ネット本体２の上端側２Ｂにはロープへのリング等の連結体（図示せず）が設けられている。【００２９】前記張設手段は、短い棒状の金属３の外周面を被覆したゴム、スポンジ等の弾性部材４から構成された錘体５を上下方向に４本網糸６で連結した調整体７で構成され、該調整体７をネット本体２の下端側２Ａの長さに応じて複数個連結して形成されている。【００３０】尚、上記実施例では、錘体５を短い棒状金属２に弾性部材４を被覆して構成したが、本発明において、張設手段はこれに限定されるものでなく、例えば、ネット本体２の下端側２Ａに対応した長尺状の棒状金属２に弾性部材４を被覆して錘体５を形成してもよく、また、球状金属２に弾性部材４を被覆して錘体５を形成してもよく、板状ゴムで構成してもよい。【００３１】前記錘体５間の網糸６の長さは、自在に調整可能で吊り張りするネット本体２に応じて対応することができる。【００３２】本願発明の防球用ネット１は上記のように構成され、次に該防球用ネット１を用いて屋内空間部に吊り張りする場合について説明する。【００３３】先ず、屋内空間部の天井側に水平にロープ（図示せず）を架け渡し、該ロープに屋内空間部の天井側より床面側の面積と略同形に形成されたネット本体２の上端側２Ｂを、例えばリング体等を介して連結する。【００３４】その後、前記ネット本体２の下端側２Ａに、下端側２Ａの長さに応じて複数個の調整体７を取り付ける。【００３５】前記調整体７の錘体５部分を把持し左右方向に引っ張り調整することでネット本体２を容易に左右方向に引っ張り調整することができるとともに、錘体５の下方側への引っ張り調整により、ネット本体２を屋内空間部Ｋに適切に広げた状態で吊り張りすることができる。【００３６】また、前記ネット本体２は、その自重により中央部分が下方側に下がり、両端側はロープの固定位置に維持される。【００３７】そのため、前記調整体７は中央部分では、下方に連結した錘体５が重なり合い、両端側では、一定の間隔で吊下げられた状態でネット本体２の下端側２Ａと床面との隙間を閉塞することができ、球が隙間を移動することを適切に阻止することができる。【００３８】また、ネット本体２の中央部分等で錘体５部分がネット本体２の下端側２Ａの垂直方向線より延出した位置であっても、錘体５は弾性部材４で被覆されているために、滑り止め効果、安全性等に優れ、安心して利用することができる。【００３９】また、従来の防球用ネットのように直接ネットの下端側を床面に沿って延出していないために、その部分を踏み付けてネット本体２の上端側２Ｂに負荷がかかることなく使用することができる。【００４０】このように、本発明の防球用ネット１は、屋内空間部に沿ってスムーズに緊張状態で吊り張りすることができ、安全性に優れ、メンテナンス作業が容易である。【００４１】また、上記実施例では、ネット本体２の下端側２Ａに調整体７を連結したが、該調整体７をネット本体２の下端側２Ａに着脱自在に構成することで、摩耗しやすい調整体７のみ取り替えることも可能である。
【図面の簡単な説明】
【００４２】
【図１】本発明の防球用ネットを示す概略説明面平面図
【図２】図１の防球用ネットの張設手段としての調整体を示す概略説明側面図
【図３】調整体を構成する錘体を示す概略説明断面図
【図４】調整体の使用状態を示す概略説明側面図
【図５】調整体の使用状態を示す概略説明側面図
【図６】調整体の他実施例を示す概略説明平面図
【図７】調整体の他実施例を示す概略説明平面図
【図８】本発明の防球用ネットの吊張方法を示すフローチャート
【符号の説明】
【００４３】１−防球用ネット、２−ネット本体、５−錘体、７−調整体
【図１】
2015150413.tif 000003
【図２】
2015150413.tif 000004
【図３】
2015150413.tif 000005
【図４】
2015150413.tif 000006
【図５】
2015150413.tif 000007
【図６】
2015150413.tif 000008
【図７】
2015150413.tif 000009
【図８】
2015150413.tif 000010